(57)【要約】【課題】通信手段が利用できない場合や予めメタデータを登録していない場合においても、撮像装置の設定によりメタデータを自動的に付加する【解決手段】撮像装置は、画像を撮影し、位置情報を取得し、ユーザ操作に応じて設定されたユーザのスケジュール情報を記憶し、スケジュール情報に紐付く予定名と同名のフォルダを生成し、撮影された画像が記憶されたスケジュール情報に一致するか否かを判定を行い、画像が記憶されたスケジュール情報に一致すると判定された場合、スケジュール情報に紐付く予定名を画像の画像データに付加し、スケジュール情報の予定名が付加された画像を、予定名と同名のフォルダに格納する。【選択図】図１
2012084052.tif 000002
【特許請求の範囲】
【請求項１】
画像を撮影する撮像手段と、位置情報を取得する位置情報取得手段を備える撮像装置において、
ユーザ操作に応じて設定されたユーザのスケジュール情報を記憶するスケジュール情報記憶手段と、
前記スケジュール情報に紐付く予定名と同名のフォルダを生成するフォルダ生成手段と、
前記撮像手段で撮影された画像が、前記前記スケジュール記憶手段で記憶されたスケジュール情報に一致するか否かを判定する判定手段と、
前記判定手段で、前記画像が前記スケジュール情報記憶手段で記憶されたスケジュール情報に一致すると判定された場合、前記スケジュール情報に紐付く予定名を前記画像の画像データに付加する付加手段と、
前記付加手段で前記スケジュール情報の予定名が付加された画像を、前記フォルダ生成手段で生成されたフォルダのうち、該予定名と同名のフォルダに格納する格納手段と
を備えることを特徴とする撮像装置。
【請求項２】
前記判定手段は、前記画像の撮影時刻が、前記スケジュール情報記憶手段で記憶されたスケジュール情報のうち、予定時間の範囲内であり、かつ、画像撮影時に位置情報取得手段で取得した位置情報が、該スケジュール情報の場所情報から所定の範囲内である場合に、前記スケジュール情報に一致すると判定することを特徴とする請求項１に記載の撮像装置。
【請求項３】
前記判定手段で、前記画像が、前記前記スケジュール記憶手段で記憶されたスケジュール情報に一致しないと判定された場合に、前記スケジュール情報の予定時間から、前後所定の時間内であり、該スケジュール情報の場所情報から所定の範囲内であれば、該スケジュール情報の画像であることを特定する特定手段を更に備えることを特徴する請求項１または２に記載の撮像装置。
【請求項４】
前記判定手段および前記特定手段で、前記スケジュール情報記憶手段で記憶されたスケジュール情報のうち、いずれのスケジュール情報の範囲内にも該当しないと場合に、前記画像を通常設定で定められているフォルダに格納することを特徴とする請求項１乃至３に記載の撮像装置。
【請求項５】
前記特定手段で、前記スケジュール情報記憶手段で記憶されたスケジュール情報のうち、複数のスケジュール情報の範囲内に該当すると特定された場合に、前記該当するスケジュール情報を表示部に表示して選択を受け付けるスケジュール情報選択受付手段を更に備えることを特徴とする請求項３に記載の撮像装置。
【請求項６】
ユーザ操作に応じて設定されたユーザのスケジュール情報を記憶するスケジュール情報記憶手段と、画像を撮影する撮像手段と、位置情報を取得する位置情報取得手段を備える撮像装置の制御方法であって、
前記撮像装置のフォルダ生成手段が、前記スケジュール情報に紐付く予定名と同名のフォルダを生成するフォルダ生成ステップと、
前記撮像装置の判定手段が、前記撮像手段で撮影された画像が、前記前記スケジュール記憶手段で記憶されたスケジュール情報に一致するか否かを判定する判定ステップと、
前記撮像装置の付加手段が、前記判定ステップで、前記画像が前記スケジュール情報記憶手段で記憶されたスケジュール情報に一致すると判定された場合、前記スケジュール情報に紐付く予定名を前記画像の画像データに付加する付加ステップと、
前記撮像装置の格納手段が、前記付加ステップで前記スケジュール情報の予定名が付加された画像を、前記フォルダ生成手段で生成されたフォルダのうち、該予定名と同名のフォルダに格納する格納ステップと
を備えることを特徴とする制御方法。
【請求項７】
ユーザ操作に応じて設定されたユーザのスケジュール情報を記憶するスケジュール情報記憶手段と、画像を撮影する撮像手段と、位置情報を取得する位置情報取得手段を備える撮像装置を制御するプログラムであって、
前記撮像装置において、
前記スケジュール情報に紐付く予定名と同名のフォルダを生成するフォルダ生成手段と、
前記撮像手段で撮影された画像が、前記前記スケジュール記憶手段で記憶されたスケジュール情報に一致するか否かを判定する判定手段と、
前記判定手段で、前記画像が前記スケジュール情報記憶手段で記憶されたスケジュール情報に一致すると判定された場合、前記スケジュール情報に紐付く予定名を前記画像の画像データに付加する付加手段と、
前記付加手段で前記スケジュール情報の予定名が付加された画像を、前記フォルダ生成手段で生成されたフォルダのうち、該予定名と同名のフォルダに格納する格納手段
とを備えることを特徴とするコンピュータで読み取り実行可能なプログラム。
【発明の詳細な説明】
【技術分野】
【０００１】
本発明は、撮像装置で撮影される画像への情報付加方法に関する。
【背景技術】
【０００２】
近年の撮像データのデジタル化に伴い、撮像装置では、撮像した撮像データ以外に、撮影設定情報やＧＰＳ（Ｇｌｏｂａｌ  Ｐｏｓｉｔｉｏｎｉｎｇ  Ｓｙｓｔｅｍ）による位置データ等のメタデータが撮像データに付加され、記録されるようになっている。このメタデータは、撮像データを検索する場合や、撮像データを分類する場合にも利用される。したがって、このメタデータを撮像データに効率よく簡単に付加できるような情報付加装置が所望されている。メタデータとは、データに関するデータの意味で、特に静止画像や動画像においては、被写体に関する情報や撮影に関する情報などを意味する。被写体に関する情報としては、例えば、人名、地名、イベント名、などの情報が挙げられる。
【０００３】
デジタル化に伴い、写真撮影は、銀塩フイルムによる撮影から、デジタル化が進み、大容量の記録媒体を用いて大量枚数の画像を撮影し、保存することが可能になっている。この大量枚数の画像を管理・分類するためには、画像データに対して属性情報を付加する方法が一般的となっている。この属性情報は、主に、撮影日時や、機種情報など、普遍的なものが常である。特許文献１および特許文献２では、画像ファイルに対してメタデータを簡単に登録できるシステムが記載されている。
【先行技術文献】
【特許文献】
【０００４】
【特許文献１】特開２００８−２５７４７１号
【特許文献２】特開２００８−２７０９７５号
【発明の開示】
【発明が解決しようとする課題】
【０００５】
しかしながら、特許文献１および特許文献２では、サーバや撮像装置本体に予めメタデータを登録していない場合および撮影時刻に紐づくメタデータがない場合、自動的にメタデータを撮影データに付加できない問題がある。
【０００６】
デジタルカメラの普及により、記録媒体の容量の範囲内であれば大量枚数の画像を記憶できるようになったため、銀塩フイルムのカメラで撮影する場合と比べて、定期的に撮影した画像その管理および整理を行わなければならない。その際には、ユーザがいつどこでどんなシチュエーションにおいて画像を撮影したかを瞬時に判断できることが望ましい。
【０００７】
特に、旅行先等など、一日多くの予定が詰まっている日に撮影をする場合においては、撮影をした場所の情報だけでは足らず、その日の午前中、昼、夕方、夜など、時間帯に応じて異なる位置若しくは異なる予定が入っていることが予想されるため、より詳細に画像を分類できる方法が望まれていた。
【０００８】
そこで、本発明の目的は、通信手段が利用できない場合や予めメタデータを登録していない場合においても、撮像装置の設定によりメタデータを自動的に付加する仕組みを提供することである。
【課題を解決するための手段】
【０００９】
即ち、本発明の撮像装置は、画像を撮影する撮像手段と、位置情報を取得する位置情報取得手段を備える撮像装置において、ユーザ操作に応じて設定されたユーザのスケジュール情報を記憶するスケジュール情報記憶手段と、前記スケジュール情報に紐付く予定名と同名のフォルダを生成するフォルダ生成手段と、前記撮像手段で撮影された画像が、前記前記スケジュール記憶手段で記憶されたスケジュール情報に一致するか否かを判定する判定手段と、前記判定手段で、前記画像が前記スケジュール情報記憶手段で記憶されたスケジュール情報に一致すると判定された場合、前記スケジュール情報に紐付く予定名を前記画像の画像データに付加する付加手段と、前記付加手段で前記スケジュール情報の予定名が付加された画像を、前記フォルダ生成手段で生成されたフォルダのうち、該予定名と同名のフォルダに格納する格納手段とを備えることを特徴とする。
また、本発明の撮像装置において、前記判定手段は、前記画像の撮影時刻が、前記スケジュール情報記憶手段で記憶されたスケジュール情報のうち、予定時間の範囲内であり、かつ、画像撮影時に位置情報取得手段で取得した位置情報が、該スケジュール情報の場所情報から所定の範囲内である場合に、前記スケジュール情報に一致すると判定することを特徴とする。
また、本発明の撮像装置において、前記判定手段で、前記画像が、前記前記スケジュール記憶手段で記憶されたスケジュール情報に一致しないと判定された場合に、前記スケジュール情報の予定時間から、前後所定の時間内であり、該スケジュール情報の場所情報から所定の範囲内であれば、前記スケジュール情報の画像であることを特定する特定手段を更に備えることを特徴する。
また、本発明の撮像装置において、前記判定手段および前記特定手段で、前記スケジュール情報記憶手段で記憶されたスケジュール情報のうち、いずれのスケジュール情報の範囲内にも該当しないと場合に、前記画像を通常設定で定められているフォルダに格納することを特徴とする。
また、本発明の撮像装置において、前記特定手段で、前記スケジュール情報記憶手段で記憶されたスケジュール情報のうち、複数のスケジュール情報の範囲内に該当すると特定された場合に、前記該当するスケジュール情報を表示部に表示して選択を受け付けるスケジュール情報選択受付手段を更に備えることを特徴とする。
【発明の効果】
【００１０】
本発明によれば、本発明の目的は、通信手段が利用できない場合や予めメタデータを登録していない場合においても、撮像装置の設定によりメタデータを自動的に付加することが可能となる。
【図面の簡単な説明】
【００１１】
【図１】本発明を実現する撮像装置のハードウエア構成を示す図である。
【図２】本発明を実現する撮像装置のスケジュール設定時のフローチャートである。
【図３】本発明を実現する撮像装置の表示・出力部に表示される画面構成例を示す図である。
【図４】本発明を実現する撮像装置の表示・出力部に表示される画面構成例を示す図である。
【図５】本発明を実現する撮像装置の表示・出力部に表示される画面構成例を示す図である。
【図６】本発明を実現する撮像装置の記憶部で記憶するマスタテーブルの構成例である。
【図７】本発明を実現する撮像装置の画像撮影時のフローチャートである。
【図８】本発明を実現する撮像装置の表示・出力部に表示される画面構成例を示す図である。
【図９】本発明を実現する撮像装置で撮影される画像のファイルデータの構成例を示す図である。
【図１０】本発明を実現する撮像装置で撮影する画像の格納先の構造例を示す図である。
【発明を実施するための形態】
【００１２】
図１は、本発明の第１の実施形態に係る撮影装置の概略構成を示すブロック図である。
図１において、撮影装置は、いわゆるデジタルカメラから成り、撮影用の光学系１０１、撮像素子（以下、「ＣＣＤ」と称する）１０２、アナログ−デジタルコンバータ（以下、「ＡＤＣ」と称する）１０３、画像処理部１０４、コントローラ１１０、バッファメモリ１１１、フラッシュＲＯＭ１１２、インターフェース回路（以下、「Ｉ／Ｆ回路」と称する）１１３、カードホルダ１１４、記録媒体１１５、ディスプレイドライバ１１６、および操作部１２０を備える。
【００１３】
図１は、本実施形態に係る情報付加装置を適用した撮像装置の構成を示す図である。撮像装置は、光学系（レンズ）１０１と、撮像素子（ＣＣＤ）１０２と、カメラ信号処理部１０３と、画像処理部１０４と、記録媒体１１５と、レンズ制御部１２７と、システムコントローラ１１０と、操作部１２０とを含んで構成される。
【００１４】
光学系１０１は、レンズ等であり、対物レンズ、ズームレンズ、およびフォーカスレンズなどで構成される。ズームレンズおよびフォーカスレンズについては、不図示の駆動機構により光軸方向へ駆動される。
【００１５】
撮像素子１０２は、光学系１０１から入射した撮像光をを結像し、電気信号（アナログ信号）に変換するして出力するＣＣＤイメージセンサで構成される。
【００１６】
カメラ信号処理部（ＡＤＣ）１０３は、撮像素子１０２から受けた電気信号にデジタル変換やホワイトバランス調整などの信号処理を行なって、デジタル信号に変換する機能を有する。
【００１７】
コントローラ１１０は、画像処理部１０４、バッファメモリ１１１、フラッシュＲＯＭ１１２、Ｉ／Ｆ回路１１３、ディスプレイドライバ１１６、ＵＳＢドライバ１１８、および操作部１２０に接続されている
【００１８】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。  前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００１９】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００２０】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００２１】
コントローラ１１０は、画像処理部１０４、バッファメモリ１１１、フラッシュＲＯＭ１１２、Ｉ／Ｆ回路１１３、ディスプレイドライバ１１６、ＵＳＢドライバ１１８、および操作部１２０に接続されている。
【００２２】
バッファメモリ１１１には、画像処理部１０４において画像処理が行われる際に、一時的に画像データが保存される。フラッシュＲＯＭ１１２には、撮影装置の各種設定情報や、後述するユーザ認証情報が保存される。Ｉ／Ｆ回路１１３は、コントローラ１１０から出力される画像データを、記録媒体１１５に記録可能なデータ形式に変換する。また、Ｉ／Ｆ回路１１３は、記録媒体１１５から読み出された画像データ等を、コントローラ１１０で処理可能なデータ形式に変換する。
【００２３】
カードホルダ１１４は、記憶媒体である記録媒体１１５を撮影装置に着脱可能にする機構を備えると共に、記録媒体１１５との間でデータ通信が可能な電気接点を備える。また、カードホルダ１１４は、撮影装置で利用される記憶媒体の種類に応じた構造を有する。記録媒体１１５は、フラッシュメモリなどの半導体記憶素子を内蔵し、カードホルダ１１４に着脱可能なカード型の記憶媒体である。記録媒体１１５には、撮影装置で撮影された画像データを記録することができる。
【００２４】
ディスプレイドライバ１１６は、コントローラ１１０から出力される画像データを液晶ディスプレイ１１７で表示可能な信号に変換する。具体的には、ディスプレイドライバ１１６は、コントローラ１１０から出力されるデジタルの画像データをアナログ画像信号に変換する処理を行い、次に画像サイズを液晶ディスプレイ１１７の表示可能エリアのサイズに適したサイズに変換する処理を行う。
【００２５】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をコントローラ１１０に出力する。なお、操作部１２０には、図示の操作ボタン以外の操作ボタン類も含まれるが、それらの説明は省略する。
【００２６】
モードダイヤル（選択ボタン）１２２は、撮影動作のモードを切り替えるための回転可能なダイヤルである。ユーザはモードダイヤル１２２を操作することで、複数の撮影動作モードを選択することが可能である。
【００２７】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、閲覧ボタン１２６の押下に限定されず、液晶ディスプレイ１１７上のタッチパネル（不図示）などによる移行方法であってもよい。
【００２８】
閲覧モードでは、コントローラ１１０が、Ｉ／Ｆ回路１１３を介して、カードホルダ１１４に装着されている記録媒体１１５から設定情報と画像データを読み出す。設定情報は、現在装着されている記録媒体１１５に記録されている画像の枚数および記録されている画像データの容量などである。読み出される画像データは、例えば、画像１枚分の画像データまたはサムネイルデータである。なお、記録媒体１１５から読み出される画像データは、上述したように所定の圧縮形式で圧縮されている。
【００２９】
記録媒体１１５から読み出された画像データは、Ｉ／Ｆ回路１１３およびコントローラ１１０を介して、ディスプレイドライバ１１６へ入力される。ディスプレイドライバ１１６は、入力された画像データを液晶ディスプレイ１１７に表示させる。
【００３０】
カーソルキー１２４は、ユーザが撮影装置に対する所定の指示や機能選択を行うためのキーである。ユーザは、カーソルキー１２４により、撮影装置に対する各種設定情報やユーザ認証情報などの操作入力を行うことができる。また、カーソルキー１２４により、液晶ディスプレイ１１７にメニュー画面を表示させたり、撮影装置が有する所定の機能を選択することができる。さらに、カーソルキー１２４により、撮影装置で撮影された画像データを液晶ディスプレイ１１７上にレビュー表示させることができる。
【００３１】
レンズ制御部１２７は、光学系１０１のレンズに対して、ズーム、フォーカス、絞り等の制御を行う。また、撮影装置は、被写体を撮像して画像データを得る撮影モードと当該撮影モードで得た画像データを表示する閲覧（再生）モードとを備える。
【００３２】
また、システムコントローラ１１０は、機能構成として、撮影情報取得部１１０−１と、メタデータ付加部１１０−２と、メタデータ設定記憶部１１０−３と、メタデータ候補抽出部１１０−４とを含んで構成される。
【００３３】
撮影情報取得手段としての撮影情報取得部１１０−１は、撮影時における撮影情報を取得する。より具体的に説明すると、撮影情報取得部１１０−１は、不図示の時計から撮影を行う日時等の撮影情報を取得したり、カメラ信号処理部１０３やレンズ制御部１２７からゲイン及び絞り値等の撮影条件を取得したりする。
【００３４】
メタデータ付加手段としてのメタデータ付加部１１０−２は、記録する撮影データにメタデータを付加する。
【００３５】
メタデータ設定記憶部１１０−３は、ユーザが付加したいメタデータと、このメタデータに属するメタデータ属性情報とを設定してシステムコントローラ１１０の記憶手段であるメモリに記憶する。なお、メタデータ設定記憶部１１０−３は、記録媒体１１５に記憶してもよい。この場合、記録媒体１１５が記憶手段を構成する。
【００３６】
メタデータ抽出手段としてのメタデータ候補抽出部１１０−４は、撮影操作、撮影条件、及び撮影情報等の撮影状態に関連付けられたメタデータ属性情報から、撮影データに付加するメタデータの候補を抽出する。
【００３７】
操作手段としての操作部１２０は、ユーザが撮影装置に対して撮影操作や各種設定を行うためのボタン、スイッチ、及びリモコンとを含んで構成される。また、操作部は、機能構成として、メタデータ付加選択部と、メタデータ設定部とを含んで構成される。なお、撮影操作とは、例えば、撮影の開始、撮影の終了、及びズームなどの操作が含まれる。撮影の開始の撮影操作により、撮像データと撮像データに付加されるメタデータとが記録媒体１１５に記録される。
【００３８】
メタデータ付加選択部は、メタデータ候補抽出部１１０−４で抽出されたメタデータの候補の中から、実際に付加するメタデータをユーザに選択させる選択部である。なお、メタデータ付加選択部は、独立したボタンでなくてもよいが、撮影操作に関するボタン等とは独立していることが好ましい。メタデータ付加選択部によって選択されたメタデータは、メタデータ付加部１１０−２が記録する撮影データに付加する。また、ここで設定されたものは、設定変更があるまで記憶され、常に設定として使用する。
【００３９】
メタデータ設定部は、メタデータ設定記憶部１１０−３がメモリに記憶するメタデータ及びメタデータ属性情報を、ユーザに設定操作させる操作部である。
【００４０】
表示出力手段としての表示出力処理部は、圧縮伸長処理部１０４からの出力映像の信号やシステムコントローラ１１０からのメニュー表示信号等を受け、ビューファインダや液晶パネル等の表示・出力部（ディスプレイ）１１７へ表示する。また、表示出力処理部は、各種インタフェースに応じた信号を出力する。なお、表示・出力部１１７が、タッチパネル式となっている場合には、操作部１２０と表示・出力部１１７とを共通にしてもよい。
【００４１】
なお、音声についてはマイクやスピーカを用いることで、撮像装置と同様に記録、及び再生が可能である。また、映像（動画）記録時には、通常音声記録も同時に行われ、圧縮伸長処理部１０４において、映像と音声が多重化される。
【００４２】
以下、図２〜図８を用いて本発明の撮像措置のスケジュール登録方法について説明をする。図２は、本発明の撮像装置が、スケジュールを登録する際の動作処理を示すフローチャートである。
【００４３】
まず、撮像装置の電源投入指示を受け付けて、撮像装置の電源制御部は、撮像装置を起動させ、スタンバイ状態となる。ステップＳ２０１おいて、撮像装置はユーザにより操作指示されたイベントの判定を行う。イベント判定により、スケジュール登録の指示がなされたと判定された場合には、ステップＳ２０２に進み、撮像装置の表示・出力部に図３の「スケジュール設定しますか？」のメッセージ画面を表示する。それ以外の操作指示を受け付けた場合には、ステップＳ２０３で、指示に応じた制御を実行する。例えば、撮影モードが選択された場合には、撮像装置は撮影スタンバイになり、再生モードが選択されれば、撮像装置は、記録媒体に記録されている画像の再生を実行する。
【００４４】
スケジュール設定する場合は、図４のスケジュール編集画面を表示し、予定名、日時、位置情報などの設定入力を受け付ける（ステップＳ２０４、ステップＳ２０５）。予定名、日時の情報については、撮像装置に組み込まれているソフトウエアキーボード等を用いて入力を受け付ける。また、撮影場所の情報については、撮像装置が記憶している地図情報を用いて、撮影場所を選択する。また、撮像装置が無線でのネットワーク通信機能を備えている機器であれば、ステップＳ２０５において、地図情報を取得してから撮影場所の選択を行うことが可能である。選択後、自動的に場所名が入力されるものとする。
【００４５】
図４の画面ＵＩの詳細な説明をする。撮像装置の表示・出力部（ディスプレイ１１７）には、スケジュール設定画面が表示されている。スケジュール設定画面は、予定名の入力テキストボックス１２、予定名を付加する予約日時の情報１３、および撮影場所の入力テキストボックス１４を備えている。また、撮影場所情報の入力を受け付ける際に、地図情報を取得できる撮像装置であれば、地図取得ボタン１５が表示されていて、地図取得ボタン１５の押下を受け付けることにより、ＧＰＳ情報から地図をディスプレイ１１７に表示して、場所を選択させるようにしてもよい。
【００４６】
引き続き、図２の説明に戻る。ステップＳ２０６において、撮像装置は、設定確認画面（図５）を表示する。図５は、撮像装置のディスプレイ１１７に表示される設定確認画面の一例を示す図であり、画面には、先述のステップＳ２０４およびステップＳ２０５で受け付けたスケジュール設定の内容が表示される。ステップＳ２０４およびステップＳ２０５で設定を受け付けた内容の確認を行い、ステップＳ２０７で、設定された内容で正しければ図５のＯＫボタン５１の押下を受け付けて、設定したスケジュールを記憶部に記憶させる（ステップＳ２０８）。また、図５の修正ボタン５２が押下された場合には、ステップＳ２０２のスケジュール設定画面（図４）を再び表示し、スケジュールの再登録を促す。
【００４７】
ステップＳ２０９において、撮像装置は、ステップＳ２０８で記憶したスケジュールの予定名と同名のフォルダを生成する。このフォルダには、当該スケジュールの間に撮影された画像を記憶格納する。
【００４８】
図１０は、本発明の撮像装置の記憶部に生成される、撮影した画像を記憶格納するためのフォルダ構造を示す図である。
【００４９】
撮像装置の記憶部には、画像を記憶するためのルートフォルダの階層下に、例えば、デフォルトフォルダ１００１と、予定別フォルダ１００２を備えている。デフォルトフォルダは、日毎にフォルダが生成されて、撮影日時情報に対応する日のフォルダに格納される。デフォルトフォルダ生成のタイミングとしては、例えば、撮像装置の時刻設定で、毎日“午前０：００”になった時点でフォルダが生成されるものとする。この、デフォルトフォルダへは、後述の図７のＳ３１３で、撮影画像に対応する予定名（スケジュール）がないと判定された場合に、画像が格納される。
【００５０】
なお、本実施例において、デフォルトフォルダは日毎に生成される設定となっているが、あくまでも一例であり、例えば、撮像装置が備えているシーンに応じて適切な撮影設定に制御するシーン別撮影モードのシーン毎に格納する方法も考えられる。よって、デフォルトフォルダへの画像格納方法は、本実施例に記載の方法に限定されない。
【００５１】
予定別フォルダは、先述のステップＳ２０７で確定したスケジュール設定を基に、ステップＳ２０９で、スケジュールの予定名と同名のフォルダが生成される。そして、撮影時に、スケジュール設定に該当した画像を、対応するフォルダに格納する。
【００５２】
次に、図７を用いて、本発明の撮像装置が、写真の撮影を実行した時に設定されたスケジュールに基づいて、撮影した画像データに予定名のメタデータ（スケジュール設定の予定名）を付加する処理を説明する。
【００５３】
ステップＳ３０１において、撮像装置のユーザにより操作指示されたイベントの判定を行う。イベント判定により、撮影モード起動の指示がなされたと判定された場合には、ステップＳ３０２において、撮像装置は、撮影モードを起動してスタンバイ状態となる。また、撮影モード起動以外の指示がなされたと判定した場合には、ステップＳ３１５でその時々の指示に応じた制御を実行する。
【００５４】
ステップＳ３０２でスタンバイ状態となっている撮像装置のシャッター押下受付により、撮像装置は、画像の撮影を行う（ステップＳ３０３）。また、この時に、画像撮影時の位置情報をＧＰＳ通信により取得し、また撮影時の時刻情報も取得する（ステップＳ３０４、ステップＳ３０５）。
【００５５】
位置情報の取得はＧＰＳ通信より実行され（緯度，経度）を取得する。その後、取得した（緯度，経度）の情報を中心に、近隣の建物、スポット情報を取得する。位置情報は、画像が、スケジュール設定テーブルに記憶された予定名に紐付く位置情報の範囲内で撮影されたか否かの判断材料となるが、スケジュール設定テーブルに記憶された位置情報とほぼ同一の位置情報を取得することは難しく、範囲に幅を持たせる必要があるため、近隣のスポット情報も併せて取得し、取得したスポット情報内に、スケジュール設定テーブルに記憶された場所が含まれていれば、当該画像は、スケジュール設定の範囲内で撮影されたと判断することができる。
【００５６】
位置情報および、撮影時刻の取得が実行されると、記憶部に記憶されている、スケジュール設定テーブル（図６）を読み込む（ステップＳ３０６）。撮像装置は、ステップＳ３０４で取得した撮影時刻と、ステップＳ３０５で取得した位置情報をもちいて、スケジュール設定テーブルに記憶されているスケジュールのうち、当該撮影時間、当該位置情報で予約されているスケジュールがあるか否かを判断する（ステップＳ３０７）。
【００５７】
ステップＳ３０７において、スケジュール設定テーブルに一致するスケジュールが記憶されている場合は、ステップＳ３１１に進み、画像のメタデータに、スケジュール設定テーブルに登録されている予定名を画像のメタデータとして付加する。
【００５８】
また、ステップＳ３０７において、スケジュール設定テーブルに一致するスケジュールがない場合は、Ｓ３０８の判定処理に進む。ステップＳ３０８において、撮像装置は、当該判定処理中のの画像の撮影時刻の前後所定時間の間に予約されたスケジュール設定が存在し、かつ、そのスケジュール設定の「場所」から所定の距離範囲内で撮影された画像であるか否かを判定する。
【００５９】
具体例を挙げる。ステップＳ３０３で撮影された画像は、「２０１０年月１１日２１  １５：３０」に撮影された画像であり、ＧＰＳ通信により、位置情報（Ｎ４３，Ｅ１４１）を取得している。ステップＳ３０７の判定の時点では、スケジュール設定テーブルの「Ｆくん結婚式」の時間に達していないため、ステップＳ３０８に進む。ここで、撮影した画像の撮影時刻は「Ｆくん結婚式」の３０分前であり、場所で設定されている「Ｔ阪帝都ホテル」の周辺にいると判定される。ここで、例えば、ステップＳ３０８で設定されている“所定時間”が「１時間以内」であれば、撮像装置は、「Ｆくん結婚式」のスケジュールに入ったと判断し、ステップＳ３１１に進んで、スケジュール設定テーブルに登録されている予定名をメタデータとして付加する。
【００６０】
しかし、ステップＳ３０８でも、画像の撮影時刻が所定時間外（本実施例では１時間以内とする）、もしくは、位置情報がスケジュール設定テーブルに登録されている場所から離れている場合には、ステップＳ３０９に進む。
【００６１】
ステップＳ３０９において、撮像装置は、当該判定処理中のの画像の撮影時刻の前後所定時間の間に予約されたスケジュール設定が存在し、かつ、そのスケジュール設定の「場所」から所定の距離範囲内で撮影された画像であるか否かを判定する。
【００６２】
具体例を挙げる。ステップＳ３０３で撮影された画像は、「２０１０年月１１日２１  １３：３０」に撮影された画像であり、ＧＰＳ通信により、位置情報（Ｎ４３，Ｅ１４１）を取得している。ステップＳ３０７および、ステップＳ３０８の判定の時点では、スケジュール設定テーブルに登録されているレコードのうち、該当するスケジュールがないため、（「Ｆくん結婚式」の時間に達していないため）、ステップＳ３０９に進む。ここで、撮影した画像の撮影時刻は「Ｆくん結婚式」の２時間３０分前であり、ＧＰＳ通信により取得した位置情報から、スケジュール「Ｆくん結婚式」場所で設定されている「Ｔ阪帝都ホテル」の周辺にいると判定される。ここで、例えば、ステップＳ３０９で設定されている“所定時間”が「３時間以内」であれば、撮像装置は、「Ｆくん結婚式」のスケジュールに入ったと判断し、ステップＳ３１１に進んで、スケジュール設定テーブルに登録されている予定名をメタデータとして付加する。
【００６３】
ステップＳ３０９の条件に当てはまるスケジュール設定が複数存在する場合には、ステップＳ３１０でそれらのうちどの予定名を付加するかを選択させるための選択画面（図８）を撮像装置の表示・出力部に表示し、ユーザの選択指示を受け付けて、ステップＳ３１１に進む。ステップＳ３１０で、条件に当てはまるスケジュール設定が存在しない場合には、ステップＳ３１２に進む。
【００６４】
図８は、ステップＳ３１０で撮像装置の表示・出力部に表示される予定名選択画面の一例である。表示・出力部に表示される予定名選択画面の予定名から、ユーザの選択指示を受け付けて、ＯＫボタンの押下を受け付けると、選択された予定名がステップＳ３１１で画像のメタデータに付加されることとなる。
【００６５】
ステップＳ３１２において、撮像装置は、撮影された画像に予定名のデータが付加されているか否かを判定する。ステップＳ３０７、ステップＳ３０８およびステップＳ３０９のうちいずれかで条件に当てはまるスケジュールがあると判定された場合には、ステップＳ３１１で予定名のメタデータが付加されているので、ステップＳ３１４で、予定名と同名のフォルダに画像を格納する。記憶部のフォルダ構造は、先述の図１０の部分で説明をした通りである。また、ステップＳ３１１に進まず、画像に予定名のメタデータが付加されなかった場合には、ステップＳ３１２で予定名なしと判定され、ステップＳ３１３において、画像をデフォルトフォルダに格納する。
【００６６】
図９は、本発明を実現する撮像装置で撮像された画像のデータ構造を示す図である。撮像装置で撮影される画像は、ＥＸＩＦ（Ｅｘｃａｎｇｅａｂｌｅ  Ｉｍａｇｅ  Ｆｉｌｅ  Ｆｏｒｍａｔ）やＣＩＦＦ（Ｃａｍｅｒａ  Ｉｍａｇｅ  Ｆｉｌｅ  Ｆｏｒｍａｔ）といった既知の技術で開示されているファイル記録フォーマットで構成されており、ヘッダ部、サムネイル画像、実画像データを備えているものとする。ヘッダ部には、画像の画素数、圧縮モード、撮影日時、撮影をした撮像装置の機種名などの情報とともに、先述のステップＳ３１１で付加された、「予定名９０１」の属性情報が付加されている。
【００６７】
この「予定名９０１」の属性情報が付加されることにより、従来、日付毎などの規則的なカテゴリ方法で記憶されている画像を、よりユーザのプライベートに則したカテゴリ方法で記憶することが可能になる。
【００６８】
以上で、本発明の撮像装置で実行する処理の説明を終える。なお、本発明の実施形態では、撮像装置のディスプレイ１１７が、タッチパネル機能を有しているものであれば、ユーザからの指示受付は、操作部のカーソルキー１２４などを用いることなく、ディスプレイ１１７への押下を直接受け付けることにより、制御を実行することが可能である。
【００６９】
以上、本発明によれば、通信手段が利用できない場合や予めメタデータを登録していない場合においても、撮像装置の設定によりメタデータを自動的に付加することが可能となる。具体的には、撮像装置は、画像を撮影する撮像手段と、ＧＰＳ通信により位置情報を取得する位置情報取得手段と、ユーザ操作に応じて設定されたユーザのスケジュール情報を記憶するスケジュール情報記憶手段（図６）と、前記スケジュール情報に紐付く予定名と同名のフォルダを生成するフォルダ生成手段（図１０、図２のステップＳ２０９）と、前記撮像手段で撮影された画像が、前記前記スケジュール記憶手段で記憶されたスケジュール情報に一致するか否かを判定する判定手段（図７のステップＳ３０７）と、前記判定手段で、前記画像が前記スケジュール情報記憶手段で記憶されたスケジュール情報に一致すると判定された場合、前記スケジュール情報に紐付く予定名を前記画像の画像データに付加する付加手段（図７のステップＳ３１１）と、前記付加手段で前記スケジュール情報の予定名が付加された画像を、前記フォルダ生成手段で生成されたフォルダのうち、該予定名と同名のフォルダに格納する格納手段（図７のステップＳ３１４）とを備える。
【００７０】
なお、本発明では、ユーザ毎のプライベートなスケジュールに応じたフォルダ生成と、同スケジュール内で撮影された画像へのメタデータ付加、および画像の格納先について言及しているが、スケジュール設定テーブルに記憶されたスケジュール情報は、予定時間を経過すると、自動的にテーブルから削除されていき、その都度スケジュール設定テーブルを更新するように制御し、記憶部を圧迫することなくスケジュール設定の登録を実現することもできる。但し、スケジュール設定テーブルの更新頻度およびタイミングについては、特に限定をせず、毎日定時にスケジュール設定テーブルの更新を実行してもよい。
【００７１】
以上説明したように、本発明におけるプログラムは、図２および図７に示すフローチャートの処理に従って撮像装置としてコンピュータが実行可能なプログラムであり、本発明の記憶媒体は図２および図７の処理方法を撮像装置が実行可能なプログラムを記憶されている。なお、本発明におけるプログラムは図２および図７の各装置の処理方法ごと、別の独立したプログラムであってもよい。
【００７２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【００７３】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７４】
また、撮像装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７６】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７７】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【００７８】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【００７９】
１０１  光学系（レンズ）
１０２
１１０  システムコントローラ
１１５  メモリーカード
１１７  液晶ディスプレイ
１２０  操作部
【図１】
2012084052.tif 000003
【図２】
2012084052.tif 000004
【図３】
2012084052.tif 000005
【図４】
2012084052.tif 000006
【図５】
2012084052.tif 000007
【図６】
2012084052.tif 000008
【図７】
2012084052.tif 000009
【図８】
2012084052.tif 000010
【図９】
2012084052.tif 000011
【図１０】
2012084052.tif 000012